(57)【要約】【課題】ネットワーク経由で電源のＯＮ／ＯＦＦ制御、スリープ制御、あるいは不正使用や機密漏洩の管理など、画像処理装置の遠隔制御および遠隔制御を集中的に行うことができる遠隔制御システムを提供する。【解決手段】ＰＣ１１２に表示された電源管理用のウインドウ画面上において、停止中であるＩＤ番号「＃０３」のＭＦＰの電源をＯＦＦにしたい場合、停止中である電源設定３０４のＯＦＦボタン３０４ａを選択し、実行ボタン３０５を押下する。これにより、ネットワーク経由で電源ＯＦＦの指示を受けたＭＦＰは、デバイスコントローラ２０４の指示にしたがって、電源をＯＦＦにする。【選択図】　　　図５
2004056258.tif 000002
【特許請求の範囲】
【請求項１】
ネットワークに接続された複数の画像処理装置を管理する遠隔制御システムにおいて、
前記ネットワークに接続された機器のいずれかを端末とし、該端末の表示画面上に、前記複数の画像処理装置を管理するための管理画面を表示する画面表示手段と、
該表示された管理画面上で、前記画像処理装置に関する設定を行う画面設定手段と、
前記管理画面上の設定にしたがって、前記ネットワーク経由で、指定された前記画像処理装置の設定を変更する装置変更手段とを備えたことを特徴とする遠隔制御システム。
【請求項２】
前記画像処理装置を含む前記ネットワークに接続された機器のいずれかをサーバとし、前記画面表示手段は、前記サーバから送られたファイルを基に、前記端末上の表示画面に前記管理画面を表示することを特徴とする請求項１記載の遠隔制御システム。
【請求項３】
前記画像処理装置の設定が変更された後、前記画面表示手段は、前記サーバから送られた変更後のファイルを基に、前記管理画面を更新することを特徴とする請求項２記載の遠隔制御システム。
【請求項４】
前記管理画面には、各画像処理装置の電源設定が表示されており、前記画面設定手段は、前記各画像処理装置の電源設定をオンまたはオフに設定することを特徴とする請求項１記載の遠隔制御システム。
【請求項５】
前記管理画面には、各画像処理装置のスリープ設定が表示されており、前記画面設定手段は、前記各画像処理装置のスリープ設定をオンまたはオフに設定することを特徴とする請求項１記載の遠隔制御システム。
【請求項６】
前記管理画面には、各画像処理装置のアクセス禁止設定が表示されており、前記画面設定手段は、前記各画像処理装置のアクセス権を設定または禁止に設定することを特徴とする請求項１記載の遠隔制御システム。
【請求項７】
前記管理画面には、各画像処理装置のタイマ設定および時間帯が表示されており、前記画面設定手段は、前記タイマ設定をオンまたはオフに設定し、該タイマ設定がオンに設定された場合、指定された時間帯で、前記画像処理装置の設定を有効にすることを特徴とする請求項４乃至６のいずれかに記載の遠隔制御システム。
【請求項８】
他の画像処理装置とともにネットワークに接続され、該ネットワークに接続された機器のいずれかを端末とし、該端末の表示画面上に表示された管理画面で設定・管理される画像処理装置であって、
前記ネットワーク経由で前記管理画面上の設定を受信する受信手段と、
該受信した管理画面上の設定にしたがって、装置本体の設定を変更する装置変更手段とを備えたことを特徴とする画像処理装置。
【請求項９】
ネットワークに接続された複数の画像処理装置を管理する遠隔制御方法において、
前記ネットワークに接続された機器のいずれかを端末とし、該端末の表示画面上に、前記複数の画像処理装置を管理するための管理画面を表示するステップと、
該表示された管理画面上で、前記画像処理装置に関する設定を行うステップと、
前記管理画面上の設定にしたがって、前記ネットワーク経由で、指定された前記画像処理装置の設定を変更するステップとを有することを特徴とする遠隔制御方法。
【請求項１０】
請求項１乃至７のいずれかに記載の遠隔制御システムを実現するためのコンピュータ読み取り可能なプログラムコードを保持する記憶媒体。
【請求項１１】
請求項１乃至７のいずれかに記載の遠隔制御システムを実現するためのコンピュータ読み取り可能なプログラムコードを有するプログラム。
【発明の詳細な説明】
【０００１】
【発明の属する技術分野】
本発明は、ネットワークに接続された複数の画像処理装置を制御する遠隔制御システム、画像処理装置、遠隔制御方法、プログラムおよび記憶媒体に関する。
【０００２】
【従来の技術】
従来、画像の入出力を行う画像処理装置として、いわゆるマルチファンクションデジタル複写機が知られている（図２参照）。このマルチファンクションデジタル複写機は、紙などに記録されている原稿画像を読み取るスキャナ、読み取った画像、あるいはホストコンピュータから送られてくる画像を紙などのメディアに出力するプリンタ、これらスキャナおよびプリンタの動作を制御したり、あるいは種々の画像処理を行うデバイスコントローラ、機器の操作を使用者に提供する操作部、画像データや処理プログラムを一時的あるいは恒久的に記憶するメモリおよびハードディスク等から構成される。
【０００３】
上記構成を有するマルチファンクションデジタル複写機では、単に原稿画像を複写するだけでなく、原稿画像に種々の画像処理を施して複写することも可能である。例えば、原稿の白黒を反転させるネガポジ反転処理、原稿の一部のみを複写するトリミング処理、複数の原稿を縮小して１枚の出力用紙上に合成する縮小レイアウト処理などの多様な処理を行うことができる。
【０００４】
また、原稿の複写以外にスキャナで読み込んだ画像データをＬＡＮ（ネットワーク）経由でホストコンピュータに転送したり、逆にホストコンピュータ上でワープロなどで作成した文書をプリンタでプリント出力させることも可能である。また、原稿画像を遠隔地のファクシミリ装置に送信するファクシミリ送信機能を有していることが一般的である。
【０００５】
このような装置では、電源のＯＮ／ＯＦＦ管理は、ハードスイッチやソフトスイッチによる人為的なＯＮ／ＯＦＦ制御、あるいはタイマ設定によるカウントダウン方式のオートシャットダウン制御などによって、一般的に行われていた。
【０００６】
【発明が解決しようとする課題】
しかしながら、上記従来例では、ＬＡＮ経由でプリントジョブの管理を行っているものの、ＬＡＮ経由で装置自体の制御や管理を行っていなかった。すなわちＬＡＮ上に存在するにもかかわらず、タイマ設定で時限的に電源をＯＦＦ／ＯＮしたり、課金カード等により管理・制御する程度であった。また、ＬＡＮ経由によるマルチファンクションデジタル複写機の電源のＯＮ／ＯＦＦ制御、スリープ制御、あるいは不正使用や機密漏洩の管理等を行っていなかった。さらに、このような装置が複数台接続されている場合、それらを１ヶ所で集中管理して制御することは行われていなかった。
【０００７】
そこで、本発明は、ネットワーク経由で電源のＯＮ／ＯＦＦ制御、スリープ制御、あるいは不正使用や機密漏洩の管理など、画像処理装置の遠隔制御を集中的に行うことができる遠隔制御システム、画像処理装置、遠隔制御方法、プログラムおよび記憶媒体を提供することを目的とする。
【０００８】
【課題を解決するための手段】
上記目的を達成するために、本発明の遠隔制御システムは、ネットワークに接続された複数の画像処理装置を管理する遠隔制御システムにおいて、前記ネットワークに接続された機器のいずれかを端末とし、該端末の表示画面上に、前記複数の画像処理装置を管理するための管理画面を表示する画面表示手段と、該表示された管理画面上で、前記画像処理装置に関する設定を行う画面設定手段と、前記管理画面上の設定にしたがって、前記ネットワーク経由で、指定された前記画像処理装置の設定を変更する装置変更手段とを備えたことを特徴とする。
【０００９】
本発明の遠隔制御方法は、ネットワークに接続された複数の画像処理装置を管理する遠隔制御方法において、前記ネットワークに接続された機器のいずれかを端末とし、該端末の表示画面上に、前記複数の画像処理装置を管理するための管理画面を表示するステップと、該表示された管理画面上で、前記画像処理装置に関する設定を行うステップと、前記管理画面上の設定にしたがって、前記ネットワーク経由で、指定された前記画像処理装置の設定を変更するステップとを有することを特徴とする。
【００１０】
【発明の実施の形態】
本発明の遠隔制御システム、画像処理装置、遠隔制御方法、プログラムおよび記憶媒体の実施の形態について、図面を参照しながら説明する。
【００１１】
［第１の実施形態］
図１は第１の実施形態におけるネットワークを用いた遠隔制御システムの構成を示す図である。図において、１０１はインターネット等の通信網である。１０２はハードウェアやソフトウェアのサポートセンタである。１０３はハードウェアやソフトウェアの販売会社である。１０４はウェブサーバであり、インターネットに接続され、インターネットユーザに特定のサービスを提供する。１０５は金融機関１０６と消費者であるクライアントとの間の決済処理等を行う電子マネーサーバである。１０７は個人ユーザの端末とインターネット１０１との接続処理を行うサービスプロバイダである。
【００１２】
１０８はファイアウォールであり、外部通信網であるインターネット１０１とＬＡＮ内部とを接続し、セキュリティ管理などを行う。１０９はＬＡＮ（ネットワーク）に接続されたファイルサーバ１１０、メールサーバ１１１、パソコン（ＰＣ）１１２、プリンタ１１３等の各機器の管理、ユーザ管理、課金情報等のデータ管理などを行う機器管理サーバである。１１０はデータ管理などを行うファイルサーバであり、必要に応じてマルチファンクションデジタル複写機２００やプリンタ１１３にデータを出力する。
【００１３】
図２はマルチファンクションデジタル複写機２００の構成を示すブロック図である。このマルチファンクションデジタル複写機（単に、ＭＦＰという）２００は、紙などに記録されている原稿画像を読み取るスキャナ２０２、読み取った画像、あるいはＬＡＮ１２１を介して送られてくる画像を紙などのメディアに出力するプリンタ２０３、これらスキャナ、プリンタの動作を制御したり、あるいは種々の画像処理を行うデバイスコントローラ２０４、機器の操作を使用者に提供する操作部２０１、画像データや処理プログラムを一時的あるいは恒久的に記憶するメモリ２０５およびハードディスク２０６等から構成される。ＭＦＰ２００は、インターネットが普及した現在、特定のネットワーク（ＬＡＮ）内に留まらず、ファイアウォール１０８を介して広く世界中と繋がっている。つまり、ＭＦＰ２００は特定のネットワーク内に留まらず、世界中から管理・制御することが可能である。
【００１４】
上記構成を有するＭＦＰ２００では、ユーザは操作部２０１から操作し、スキャナ２０２は操作部２０１やパソコン１１２からの指示に従って、画像を入力する。プリンタ１１３はパソコン１１２やファイルサーバ１１０からのデータを印刷する。
【００１５】
デバイスコントローラ２０４は、操作部２０１やパソコン１１２からの指示に従って、スキャナ２０２、プリンタ２０３、メモリ２０５、ハードディスク２０６、あるいはパソコン１１２との間で画像データの入出力制御を行う。例えば、スキャナ２０２から取り込んだ画像データをメモリ２０５やハードディスク２０６に必要に応じて蓄積したり、パソコン１１２に出力したり、あるいはプリンタ２０３で印刷する等の制御を行う。
【００１６】
プリンタ１１３は、パソコン１１２やファイルサーバ１１０からの画像データを記録用紙に印刷する。パソコン１１２は端末装置としてＬＡＮ１２１に接続され、インターネット１０１を介してウェブサーバ１０４から提供された情報を閲覧したり、画像データをＭＦＰ２００やプリンタ１１３に出力する。尚、ファイアウォール１０８の内側にＬＡＮ１２１が接続されている上記構成に限らず、サービスプロバイダ１０７を介してインターネット１０１に繋がる個人ユーザのＰＣがファイアウォールの内側に接続される構成であってもよい。
【００１７】
このような環境の下、ネットワークを介してＭＦＰ２００を遠隔制御する場合、その遠隔制御方法として、専用線や電話回線を用いる方法が挙げられるが、本実施形態では、インターネットを用いる場合を示す。前述したように、ＭＦＰ２００は、ＬＡＮ１２１上に存在しており、ＩＰ（Ｉｎｔｅｒｎｅｔ　Ｐｒｏｔｏｃｏｌ）アドレスを有する。ＭＦＰ２００をＷｅｂサーバと見立て、ＭＦＰ２００がスクリプト言語などを実行することで、機器管理サーバ１０９やパソコン１１２はＷｅｂ閲覧ツールを用いてアクセスすることが可能である。ここで、スクリプト言語としては、Ｓｕｎ　Ｍｉｃｒｏｓｙｓｔｅｍｓ社のＪａｖａ（登録商標）Ｓｃｒｉｐｔ（登録商標）が挙げられる。また、Ｗｅｂ閲覧ツールとして、Ｍｉｃｒｏｓｏｆｔ社のＩｎｔｅｒｎｅｔ　Ｅｘｐｌｏｒｅｒ（登録商標）やＮｅｔｓｃａｐｅ社のＮｅｔｓｃａｐｅ　Ｎａｖｉｇａｔｏｒなどが挙げられる。
【００１８】
このようなＷｅｂ閲覧ツールを用いることで、ブラットフォームに依存せず、機器の遠隔制御が可能となる。例えば、Ｍｉｃｒｏｓｏｆｔ社のＷｉｎｄｏｗｓ（登録商標）、Ａｐｐｌｅ社のＭａｃＯＳ（登録商標）、Ｕｎｉｘ（登録商標）などから操作可能である。すなわち、プラットフォームを依存させないことにより、特定の機器管理サーバ１０９からだけでなく、ＬＡＮ１２１上の全てのコンピュータ（端末）から、後述する閲覧画面上でＭＦＰ２０の設定・解除等の制御を行うことが可能である。
【００１９】
図３はＷｅｂサーバとしてのＭＦＰ２００における遠隔制御処理手順を示すフローチャートである。この処理プログラムはＭＦＰ２００内のハードディスク２０６に格納されており、デバイスコントローラ２０４によって読み出されて実行される。まず、ＬＡＮ１２１に接続されたＰＣ１１２などの端末から、ウインドウ画面の閲覧要求があるのを待ち（ステップＳ１）、閲覧要求があると、要求した端末にウインドウ画面ファイルを送信する（ステップＳ２）。そして、端末からウインドウ画面上の変更要求（例えば、図４における電源設定のＯＮ／ＯＦＦ）があるか否かを判別する（ステップＳ３）。変更要求がない場合、ステップＳ１の処理に戻る。
【００２０】
一方、変更要求がある場合、変更要求に応じた処理を実行する（ステップＳ４）。例えば、図４で指定されたＭＦＰに対する電源のＯＮ／ＯＦＦを行う。そして、ウインドウ画面ファイルを変更し、変更後のウインドウ画面ファイルを端末に送信する（ステップＳ５）。この後、ステップＳ１の処理に戻る。
【００２１】
図４は電源管理用のウインドウ画面を示す図である。この電源管理用のウインドウ画面はＨＴＭＬ（Ｈｙｐｅｒ　Ｔｅｘｔ　Ｍａｒｋｕｐ　Ｌａｎｇｕａｇｅ）等の言語で記述されている。この画面から、ＬＡＮ１２１に接続されている複数台のＭＦＰを管理することが可能である。各ＭＦＰはＩＤ番号３０１と設置場所３０２により管理される。また、ＩＤ番号３０１と設置場所３０２の他に、ウインドウ画面では、機器毎の稼働状況３０３および電源設定３０４が管理されている。
【００２２】
具体的に、ウインドウ画面は次のように表示されている。すなわち、ＩＤ番号「＃０１」のＭＦＰは、Ａ棟２Ｆに設置されており、使用中である。ＩＤ番号「＃０２」のＭＦＰは、Ａ棟３Ｆに設置されており、使用中である。ＩＤ番号「＃０３」のＭＦＰは、Ｂ棟２Ｆに設置されており、電源は入っているが停止中である。ＩＤ番号「＃０４」のＭＦＰは、Ｃ棟１Ｆに設置されており、電源ＯＦＦである。実際の機器管理の変更は、電源設定３０４でＯＮ／ＯＦＦを設定し、実行ボタン３０５を押下することにより実行される。尚、ＩＤ番号「ＡＬＬ」の電源設定をＯＮ／ＯＦＦすることにより、全て（＃０１〜＃０４）のＭＦＰの機器管理を同一に揃えることができる。
【００２３】
停止中であるＩＤ番号「＃０３」のＭＦＰの電源をＯＦＦにしたい場合、停止中である電源設定３０４のＯＦＦボタン３０４ａを選択し、実行ボタン３０５を押下する。これにより、ネットワーク経由で電源ＯＦＦの指示を受けたＭＦＰは、デバイスコントローラ２０４の指示にしたがって、電源をＯＦＦにする。図５は停止中に電源設定３０４のＯＦＦボタン３０４ａが選択された場合の電源管理用のウインドウ画面を示す図である。
【００２４】
また、電源ＯＦＦであるＩＤ番号「＃０４」のＭＦＰの電源をＯＮにしたい場合、電源設定３０４のＯＮボタン３０４ｂを選択し、実行ボタン３０５を押下する。ネットワーク経由で電源ＯＮの指示を受けたＭＦＰは、デバイスコントローラ２０４の指示により、電源をＯＮにする。図６は電源ＯＦＦ時に電源設定３０４のＯＮボタン３０４ｂが選択された場合の電源管理用のウインドウ画面を示す図である。
【００２５】
このように、第１の実施形態では、ネットワーク経由、特にＷｅｂ上で電源のＯＮ／ＯＦＦを制御することで、管理者が遠隔地にいても、不要に起動している画像処理装置の電源をＯＦＦにすることができ、この結果、余分に消費させる電力量を抑制できる。また、ネットワークを介在させることで、遠隔操作を行うことができる上、１ヶ所で集中管理でき、省人、省力にも寄与できる。
【００２６】
尚、本実施形態では、デジタル処理を行うＭＦＰについて示したが、アナログ処理を行う機器であっても、ネットワークワークインターフェース（ＮＩＣ）を備えるデバイスコントローラを搭載している限り、同様に適用可能である。
【００２７】
［第２の実施形態］
前記第１の実施形態では、電源のＯＦＦ／ＯＮ制御の場合を示したが、第２の実施形態では、電源を完全にＯＦＦ／ＯＮするのではなく、通常の電源ＯＮの待機状態よりも消費電力量を抑えた状態であるスリープ状態に設定・解除することも可能である。尚、遠隔制御システムの構成については、前記第１の実施形態と同様であるので、その説明を省略する。
【００２８】
図７は第２の実施形態におけるスリープ管理用のウインドウ画面を示す図である。電源ＯＮの状態で使用されていない停止中のＩＤ番号「＃０３」の場合、スリープ設定６０１の設定ボタン６０１ａを選択し、実行ボタン６０３を押下することによりスリープ設定が実行される。そして、ネットワーク経由でスリープ設定の指示を受けたＭＦＰは、デバイスコントローラ２０４の指示によりスリープ状態に移行する。
【００２９】
逆に、スリープ状態のＭＦＰを強制的に起動状態にする場合、例えば、スリープ状態のＩＤ番号「＃０１」の場合、スリープ設定６０１の解除ボタン６０１ｂを選択し、実行ボタン６０３を押下することによりスリープ解除が実行される。図８はスリープ設定６０１の解除ボタン６０１ｂが選択された場合のスリープ管理用のウインドウ画面を示す図である。そして、ネットワーク経由でスリープ解除の指示を受けたＭＦＰは、デバイスコントローラ２０４の指示によりスリープ状態を解除する。
【００３０】
電源のＯＦＦ／ＯＮ制御では、一旦、電源ＯＦＦの状態になると、ＭＦＰ２００がカラー機あるいは高速機である場合、再起動までに時間を要するので、本実施形態のスリープ設定・解除の制御は有効である。
【００３１】
このように、ネットワーク経由、特に、ＷＥＢ上でスリープ設定を制御することで、管理者が遠隔地にいても、不要に起動している画像処理装置をスリープモードに移行させることでき、その結果、余分に消費する電力量を抑制できる。また、ネットワークを介在させることで、遠隔操作ができる上、１ヶ所で集中管理でき、省人、省力にも寄与する。
【００３２】
尚、第２の実施形態では、前記第１の実施形態と同様、デジタル処理を行うＭＦＰについて示したが、アナログ処理を行う機器であっても、ネットワークワークインターフェース（ＮＩＣ）を備えるデバイスコントローラを搭載している限り、同様に適用可能である。
【００３３】
［第３の実施形態］
前記第１、第２の実施形態では、電源ＯＦＦ／ＯＮ設定、スリープ設定を強制的に実行する場合を示したが、これらを時限的に管理することも可能である。図９は第３の実施形態におけるタイマ設定用のウインドウ画面を示す図である。例えば、ＩＤ番号「＃０１」の場合、時間帯８０１に電源ＯＮ状態にする時間帯「０８−１８」を指定し、タイマ設定８０２で、ＯＮボタン８０２ａを選択し、実行ボタン８０８を押下することにより設定する。ここで、全ての機器を同一時間帯で管理する場合、ＩＤ番号「ＡＬＬ」のタイマ設定ボタン８０２ｅを選択して実行すればよい。また、タイマ設定８０２を特定の機器のみ解除する場合、例えばＩＤ番号「＃０１」の場合、タイマ設定８０２のＯＦＦボタン８０２ｆを選択し、実行すればよい。図１０はタイマ設定８０２のＯＦＦボタン８０２ｆを選択する場合のウインドウ画面を示す図である。
【００３４】
このように、ネットワーク経由、特に、Ｗｅｂ上でタイマ設定を制御することで、管理者が遠隔地にいても、不要に起動している画像処理装置の電源ＯＦＦ／ＯＮやスリープモードへの移行を時限的に設定することができ、その結果、余分に消費する電力量を抑制できる。また、ネットワークを介在させることで、遠隔操作ができる上、１ヶ所で集中管理ができ、省人、省力にも寄与する。
【００３５】
尚、第３の実施形態では、前記第１、第２の実施形態と同様、デジタル処理を行うＭＦＰについて示したが、アナログ処理を行う機器であっても、ネットワークワークインターフェース（ＮＩＣ）を備えるデバイスコントローラを搭載している限り、同様に適用可能である。
【００３６】
［第４の実施形態］
前記第１、第２、第３の実施形態では、タイマ設定を含め、電源ＯＦＦ／ＯＮ設定およびスリープ設定を行う場合を示したが、消費電力量の制御の代わりに、あるいはそれと共に、ＭＦＰのハードディスク２０６にあるデータの機密漏洩管理を行うことも可能である。
【００３７】
図１１は第４の実施形態におけるアクセス管理用のウインドウ画面を示す図である。例えば、ＩＤ番号「＃０１」の場合、稼動状況１００１が使用中であるので、アクセス権禁止設定１００２で解除ボタン１００３を選択し、アクセス可能にする。また、ＩＤ番号「＃０３」の場合、稼動状況１００１が停止中であるので、アクセス権禁止設定１００２で設定ボタン１００４を選択し、アクセス不可能にする。
【００３８】
さらに、アクセス禁止設定を時限的に管理することも可能である。図１２はアクセス禁止設定を時限的に管理するアクセス管理用のウインドウ画面を示す図である。例えば、ＩＤ番号「＃０１」の場合、時間帯１１０１を設定し、アクセス禁止設定１００２で設定ボタン１１０３を選択し、設定時間帯においてはアクセス権を禁止する。一方、アクセス禁止を解除する場合、解除ボタン１１０４を選択して設定する。
【００３９】
尚、ＭＦＰ本体からでも、アクセス権の設定が可能であるが、アクセス禁止設定を解除してアクセス可能にするためには、アクセス禁止設定１１０２で解除に設定しておくことで、本体の設定が有効になる。
【００４０】
このように、ネットワーク経由、特に、Ｗｅｂ上でアクセス権の設定を制御することで、管理者が遠隔地にいても、不正使用や機密漏洩の管理が行える。
【００４１】
以上が本発明の実施の形態の説明であるが、本発明は、これら実施の形態の構成に限られるものではなく、特許請求の範囲で示した機能、または実施の形態の構成が持つ機能が達成できる構成であればどのようなものであっても適用可能である。
【００４２】
例えば、上記実施形態では、ＭＦＰ２００をＷｅｂサーバと見立てていたが、Ｗｅｂサーバとしては、ＬＡＮ１２１に接続された機器管理サーバ１０９、パソコン１１２であってもよい。また、管理されるＭＦＰの台数は特に制限されない。
【００４３】
また、本発明は、前述した実施形態の機能を実現するソフトウェアのプログラムコード自体が本発明の新規な機能を実現することになり、そのプログラムおよびそのプログラムを記憶した記憶媒体は本発明を構成することになる。
【００４４】
上記実施形態では、図３のフローチャートに示すプログラムコードは記憶媒体であるハードディスクに格納されている。プログラムコードを供給する記憶媒体としては、これに限らず、例えばフレキシブルディスク、ＣＤ−ＲＯＭ、ＣＤ−Ｒ、ＤＶＤなどを用いることができる。
【００４５】
【発明の効果】
本発明によれば、ネットワーク経由で電源のＯＮ／ＯＦＦ制御、スリープ制御、あるいは不正使用や機密漏洩の管理など、画像処理装置の遠隔制御を集中的に行うことができる。また、不要に起動している画像処理装置の電源をＯＦＦにすることで、消費電力量を抑え、不正使用による機密漏洩を抑制できる。また、ネットワークを介在させることで、遠隔操作でき、しかも１ヶ所で集中管理できるので、省人、省力のシステムを構築できる。
【図面の簡単な説明】
【図１】第１の実施形態におけるネットワークを用いた遠隔制御システムの構成を示す図である。
【図２】マルチファンクションデジタル複写機２００の構成を示すブロック図である。
【図３】ＷｅｂサーバとしてのＭＦＰ２００における遠隔制御処理手順を示すフローチャートである。
【図４】電源管理用のウインドウ画面を示す図である。
【図５】停止中に電源設定３０４のＯＦＦボタン３０４ａが選択された場合の電源管理用のウインドウ画面を示す図である。
【図６】電源ＯＦＦ時に電源設定３０４のＯＮボタン３０４ｂが選択された場合の電源管理用のウインドウ画面を示す図である。
【図７】第２の実施形態におけるスリープ管理用のウインドウ画面を示す図である。
【図８】スリープ設定６０１の解除ボタン６０１ｂが選択された場合のスリープ管理用のウインドウ画面を示す図である。
【図９】第３の実施形態におけるタイマ設定用のウインドウ画面を示す図である。
【図１０】タイマ設定８０２のＯＦＦボタン８０２ｆを選択する場合のウインドウ画面を示す図である。
【図１１】第４の実施形態におけるアクセス管理用のウインドウ画面を示す図である。
【図１２】アクセス禁止設定を時限的に管理するアクセス管理用のウインドウ画面を示す図である。
【符号の説明】
１１２　パソコン
２００　ＭＦＰ
２０１　操作部
２０４　デバイスコントローラ
２０６　ハードディスク
３０１　ＩＤ番号
３０４　電源設定
６０１　スリープ設定
８０２　タイマ設定
１００２　アクセス禁止設定
【図１】
2004056258.tif 000003
【図２】
2004056258.tif 000004
【図３】
2004056258.tif 000005
【図４】
2004056258.tif 000006
【図５】
2004056258.tif 000007
【図６】
2004056258.tif 000008
【図７】
2004056258.tif 000009
【図８】
2004056258.tif 000010
【図９】
2004056258.tif 000011
【図１０】
2004056258.tif 000012
【図１１】
2004056258.tif 000013
【図１２】
2004056258.tif 000014